(57)【要約】      （修正有）【課題】光ピックアップ装置の加速性能を犠牲にせず、容易に不要な振動を抑えることが可能な光ピックアップ装置を提供することが可能である。【解決手段】光記録媒体の径方向に移動可能であり、光学系素子を搭載する光学ヘッド部と、前記光学ヘッド部に設けられ、レーザ光を発光する発光部と、前記発光部が発光したレーザ光を光記録媒体の記録面に集光し、該光記録媒体からの反射光を集光する対物レンズと、前記光学ヘッド部に設けられ、前記対物レンズが集光した反射光を受光する受光部と、前記光学ヘッド部に設けられ、前記対物レンズを保持し、光記録媒体の径方向と、光記録媒体に対するフォーカス方向の二軸方向に可動する可動部と、前記光学ヘッド部に設けられ、前記可動部に振動が加えられたときの共振の節の位置を駆動点として該可動部を駆動する駆動部と、を備える。【選択図】図４Ｂ
2011034655.tif 000002
【特許請求の範囲】
【請求項１】
光記録媒体の径方向に移動可能であり、光学系素子を搭載する光学ヘッド部と、
前記光学ヘッド部に設けられ、レーザ光を発光する発光部と、
前記発光部が発光したレーザ光を光記録媒体の記録面に集光し、該光記録媒体からの反射光を集光する対物レンズと、
前記光学ヘッド部に設けられ、前記対物レンズが集光した反射光を受光する受光部と、
前記光学ヘッド部に設けられ、前記対物レンズを保持し、光記録媒体の径方向と、光記録媒体に対するフォーカス方向の二軸方向に可動する可動部と、
前記光学ヘッド部に設けられ、前記可動部に振動が加えられたときの共振の節の位置を駆動点として該可動部を駆動する駆動部と、を備える、
光ピックアップ装置。
【請求項２】
前記対物レンズは、各々重さが異なる複数の対物レンズであり、
前記駆動部は、コイルと、該コイルに対して磁束を発生させる磁石と、該磁石の吸着力又は吸引力を増幅するヨークと、該コイルと該磁石と該ヨークとによって発生した電磁力を駆動力として前記可動部に伝える駆動力伝達部と、を有し、前記複数の対物レンズの重さに基づいて決定される共振の節の位置を駆動点として、前記可動部を駆動する、
請求項１に記載の光ピックアップ装置。
【請求項３】
前記複数の対物レンズは、光記録媒体の周方向に各々横に並べて配置される、第一の対物レンズと、該第一の対物レンズよりも軽い第二の対物レンズで形成され、
前記ヨークは、前記第一の対物レンズ及び前記第二の対物レンズを繋ぐ直線を挟んで設けられる、第一のヨークと、第二のヨークで形成され、
前記第一のヨーク及び前記第二のヨークの一方の先端が前記第一の対物レンズ側に配置され、前記第一のヨーク及び前記第二のヨークの他方の先端が前記第二の対物レンズ側に配置され、
前記第一のヨーク及び前記第二のヨークの一方の先端の該第一の対物レンズに近い側の縁と、該第一の対物レンズとの距離が、該第一のヨーク及び該第二のヨークの他方の先端の該第二の対物レンズに近い側の縁と、該第二の対物レンズとの距離よりも長く設定される、
請求項２に記載の光ピックアップ装置。
【請求項４】
前記第一の対物レンズ側から前記第二の対物レンズ側に向かって、前記第一のヨーク及び前記第二のヨークの間の距離が広がる、
請求項３に記載の光ピックアップ装置。
【請求項５】
前記複数の対物レンズは、光記録媒体の周方向に各々横に並べて配置される、第一の対物レンズと、該第一の対物レンズよりも重い第二の対物レンズで形成され、
前記ヨークは、前記第一の対物レンズ及び前記第二の対物レンズを繋ぐ直線を挟んで設けられる、第一のヨークと、第二のヨークで形成され、
前記第一のヨーク及び前記第二のヨークの一方の先端が前記第一の対物レンズ側に配置され、前記第一のヨーク及び前記第二のヨークの他方の先端が前記第二の対物レンズ側に配置され、
前記第一のヨーク及び前記第二のヨークの一方の先端側よりも、該第一のヨーク及び該第二のヨークの他方の先端側の方が、厚く設けられる、
請求項２に記載の光ピックアップ装置。
【発明の詳細な説明】
【技術分野】
【０００１】
本発明は、光ピックアップ装置に関する。
【背景技術】
【０００２】
近年、光ディスクは、高密度光記録媒体であるＢＤ（Ｂｌｕ−ｒａｙＤｉｓｃ）の出現により、異なる光学特性を有する複数の種類の光記録媒体に対して、記録／再生を可能にするための光記録媒体装置用の光ピックアップ装置が開発されている。また、各々の種類の光記録媒体に対応した各々の対物レンズは、透過する光の性質によって必ずしも同じ材質で形成されるとは限らず、ＣＤ（ＣｏｍｐａｃｔＤｉｓｃ）やＤＶＤ（ＤｉｇｉｔａｌＶｅｒｓａｔｉｌｅＤｉｓｃ）は樹脂製であり、車載環境条件で対応可能なＢＤはガラス製である。従って、光ピックアップ装置における光学ヘッド部の可動部（レンズ搭載部）の中心付近で各々の対物レンズが振り分けて配置されると、光学ヘッド部の重心バランスが悪くなり、安定して駆動させることが困難である。更に、光記録媒体の記録密度が高くなると、ＮＡ（開口数）の大きな対物レンズを使用することになり、該対物レンズと光記録媒体とを接近配置する必要がある。その結果、対物レンズと光記録媒体とが衝突してしまう可能性が高くなる。尚、ＢＤに対応した対物レンズの材質は、ガラス製に限定されない。
【０００３】
また、従来から、ガイド機構のガイドレールがキャリッジの移動範囲の両端でシャーシに接地固定され、その固定部がシャーシの曲げ振動モードの節とほぼ一致するように構成することにより、シャーシにフォーカシングアクチュエータの駆動反力が伝達されても、シャーシの１次曲げ振動モードが励振されるようなことがなく、低振動化が図れることが知られている（例えば、特許文献１等参照）。更に、可動部を安定駆動させるためには、可動部の重心と、可動部の駆動点とを一致させることが望ましく、更に、一致した可動部の重心と、該駆動点に対物レンズの中心を配置させることで、不要な振動を抑えることが可能であるということが知られている（例えば、特許文献２等参照）。また、開口数が大きい対物レンズは、振動系の腹より遠い位置に配置され、開口数が最も小さい対物レンズは、振動系の腹に近い位置に配置されることにより、振動系の影響を極力受けないようにし、信号の記録エラーまたは再生エラーを防止することが可能であることが知られている（例えば、特許文献３等参照）。
【先行技術文献】
【特許文献】
【０００４】
【特許文献１】特開平６−２６７０９３号公報
【特許文献２】特開２００７−２５７６８１号公報
【特許文献３】特開２００７−３２８９０２号公報
【発明の概要】
【発明が解決しようとする課題】
【０００５】
光ピックアップ装置は、高ＮＡ化と装置小型化からレンズを記録媒体近傍に配置し、更に複数のレンズを搭載する必要があるため、可動部の重心と、可動部の駆動点と、対物レンズ中心とを一致させることが困難である。また、複数搭載する対物レンズの材質が異なるため、複数の対物レンズを繋ぐ直列方向の重心位置が一方の対物レンズに片寄る場合が考えられる。このような場合において、可動部の重心と、該駆動点とを一致させる、又は、可動部の共振の節と、該駆動点とを一致させるために、重りを用いて調整し、光ピックアップ装置の加速性能を犠牲にしなければならない。
【０００６】
そこで、本発明では、上記した問題に鑑み、光ピックアップ装置の加速性能を犠牲にせず、容易に不要な振動を抑えることが可能な光ピックアップ装置を提供することを目的とする。
【課題を解決するための手段】
【０００７】
本発明は、上述した課題を解決するために、駆動部（コイル）が、可動部（レンズホルダ）を加振したとき、構造共振の節の位置を駆動点として可動部を駆動する。これにより、光ピックアップ装置の加速性能を犠牲にせず、容易に不要な振動を抑えることが可能な光ピックアップ装置を提供することが可能である。尚、レンズホルダ全体が作用点のイメージとして、駆動力の発生中心を駆動点と表現している。
【０００８】
詳細には、本発明に係る光ピックアップ装置は、光記録媒体の径方向に移動可能であり、光学系素子を搭載する光学ヘッド部と、前記光学ヘッド部に設けられ、レーザ光を発光する発光部と、前記発光部が発光したレーザ光を光記録媒体の記録面に集光し、該光記録媒体からの反射光を集光する対物レンズと、前記光学ヘッド部に設けられ、前記対物レンズが集光した反射光を受光する受光部と、前記光学ヘッド部に設けられ、前記対物レンズを保持し、光記録媒体の径方向と、光記録媒体に対するフォーカス方向の二軸方向に可動する可動部と、前記光学ヘッド部に設けられ、前記可動部に振動が加えられたときの共振の節の位置を駆動点または駆動重心として該可動部を駆動する駆動部と、を備える。
【０００９】
光ピックアップ装置は、光学ヘッド部と、発光部と、対物レンズと、受光部と、可動部と、駆動部とを備える。光学ヘッド部は、光記録媒体の径方向に移動可能であり、光学系素子を搭載する。発光部は、光学ヘッド部に設けられ、レーザ光を発光する。発光部は、一種類の波長のレーザ光を発光してもよいし、複数の波長のレーザ光を発光してもよい。尚、実際に光ピックアップ装置を用いる際は、発光部が光記録媒体に対応するレーザ光を発光し、光記録媒体の種類によって用いられるレーザ光が異なる。対物レンズは、発光部が発光したレーザ光を光記録媒体の記録面に集光し、光記録媒体からの反射光を集光する。発光部が複数の波長のレーザ光を発光する際は、発光部が発光したレーザ光に対応する対物レンズが複数設けられる。受光部は、光学ヘッド部に設けられ、対物レンズが集光した反射光を受光する。
【００１０】
可動部は、光学ヘッド部に設けられ、対物レンズを保持し、光記録媒体の径方向と、光記録媒体に対するフォーカス方向の二軸方向に可動する。可動部が径方向に可動することにより、発光部が発光したレーザ光を光記録媒体上の目標となるトラックに照射することが可能であり、可動部がフォーカス方向に可動することにより、光記録媒体上の焦点を合わせることが可能である。駆動部は、光学ヘッド部に設けられ、可動部に振動が加えられたときの共振の節の位置を駆動点として可動部を駆動する。共振の節を駆動することは、共振の節以外を駆動することと比較して、不要な振動が発生し難い。従って、本発明に係る光ピックアップ装置は、可動部の重心と、可動部の駆動点とを一致させる、又は、可動部の共振の節と、該駆動点とを一致させるために、重りを用いて調整する必要が無いため、光ピックアップ装置の加速性能を犠牲にせず、更に、容易に不要な振動を抑え、音飛び、エラーの発生、及びノイズを抑制することが可能である。
【００１１】
また、本発明に係る光ピックアップ装置において、前記対物レンズは、各々重さが異なる複数の対物レンズであり、前記駆動部は、コイルと、該コイルに対して磁束を発生させる磁石と、該磁石の吸着力又は吸引力を増幅するヨークと、該コイルと該磁石と該ヨークとによって発生した電磁力を駆動力として前記可動部に伝える駆動力伝達部と、を有し、前記複数の対物レンズの重さに基づいて決定される共振の節の位置を駆動点として、可動部を駆動してもよい。
【００１２】
複数の対物レンズの重さが異なる場合は、複数の対物レンズの重さが同じ場合と比較して、対物レンズを保持する可動部の重心がずれ、更に、可動部の可動時に生じる共振の節の位置もずれる。従って、本発明に係る光ピックアップ装置は、複数の対物レンズの重さが異なっても、駆動部が、複数の対物レンズの重さに基づいて決定される共振の節の位置を駆動点として可動部を駆動することにより、容易に不要な振動を抑え、音飛び、エラーの発生、及びノイズを抑制することが可能である。
【００１３】
更に、本発明に係る光ピックアップ装置において、前記複数の対物レンズは、光記録媒体の周方向に各々横に並べて配置される、第一の対物レンズと、該第一の対物レンズよりも軽い第二の対物レンズで形成され、前記ヨークは、前記第一の対物レンズ及び前記第二の対物レンズを繋ぐ直線を挟んで設けられる、第一のヨークと、第二のヨークで形成され、前記第一のヨーク及び前記第二のヨークの一方の先端が前記第一の対物レンズ側に配置され、前記第一のヨーク及び前記第二のヨークの他方の先端が前記第二の対物レンズ側に配置され、前記第一のヨーク及び前記第二のヨークの一方の先端の該第一の対物レンズに近い側の縁と、該第一の対物レンズとの距離が、該第一のヨーク及び該第二のヨークの他方の先端の該第二の対物レンズに近い側の縁と、該第二の対物レンズとの距離よりも長く設定されてもよい。
【００１４】
第一のヨーク及び第二のヨークの一方の先端の第一の対物レンズに近い側の縁と、第一の対物レンズとの距離が、第一のヨーク及び第二のヨークの他方の先端の第二の対物レンズに近い側の縁と、第二の対物レンズとの距離よりも長く設定されることにより、磁石がコイルに対して発生させる磁束の変化が起こり、駆動部が可動部を駆動する位置を変えることが可能である。その結果、複数の対物レンズの重さが異なる場合の可動部の共振の節の位置が、複数の対物レンズの重さが同じ場合の可動部の共振の節の位置と異なる場合であっても、ヨークの配置を変えることによって、駆動部は、複数の対物レンズの重さが異なる場合の可動部の共振の節の位置を駆動点として、可動部を駆動することが可能である。尚、第一のヨーク及び第二のヨークの一方の先端の第一の対物レンズに近い側の縁と、第一の対物レンズとの距離が、第一のヨーク及び第二のヨークの他方の先端の第二の対物レンズに近い側の縁と、第二の対物レンズとの距離よりも長く設定される理由は、可動部に搭載されたレンズ質量の差により、同一共振モードにおいて構造共振の節が異なってくる。この異なった節の位置に合わせてヨークの位置を移動し、駆動コイルに対する磁束の集中箇所（駆動点）を構造共振の節近傍に近づけるためである。従って、本発明に係る光ピックアップ装置は、複数の対物レンズの重さが異なっても、ヨークの配置を変えることによって、駆動部が共振の節の位置を駆動点として可動部を駆動することにより、容易に不要な振動を抑え、音飛び、エラーの発生、及びノイズを抑制することが可能である。
【００１５】
また、本発明に係る光ピックアップ装置において、前記第一の対物レンズ側から前記第二の対物レンズ側に向かって、前記第一のヨーク及び前記第二のヨークの間の距離が広がってもよい。本発明に係る光ピックアップ装置は、ヨークの配置を変えることによって、磁石によって発生するコイルに対する磁束の変化が起こり、駆動部が可動部を駆動する位置を変えることが可能である。その結果、駆動部が、複数の対物レンズの重さが異なる場合の可動部の共振の節の位置を駆動点として、可動部を駆動することが可能である。尚、第一の対物レンズ側から第二の対物レンズ側に向かって、第一のヨーク及び第二のヨークの間の距離が広がる理由は、可動部に搭載されたレンズ質量の差により、同一共振モードにおいて構造共振の節が異なってくる。この異なった節の位置に合わせてヨークの位置を移動し、コイルに対する磁束の集中箇所（駆動点）を構造共振の節近傍に近づけるためである。従って、本発明に係る光ピックアップ装置は、複数の対物レンズの重さが異なっても、ヨークの配置を変えることによって、駆動部が共振の節の位置を駆動点として可動部を駆動することにより、容易に不要な振動を抑え、音飛び、エラーの発生、及びノイズを抑制することが可能である。
【００１６】
更に、本発明に係る光ピックアップ装置において、前記複数の対物レンズは、光記録媒体の周方向に各々横に並べて配置される、第一の対物レンズと、該第一の対物レンズよりも重い第二の対物レンズで形成され、前記ヨークは、前記第一の対物レンズ及び前記第二の対物レンズを繋ぐ直線を挟んで設けられる、第一のヨークと、第二のヨークで形成され、前記第一のヨーク及び前記第二のヨークの一方の先端が前記第一の対物レンズ側に配置され、前記第一のヨーク及び前記第二のヨークの他方の先端が前記第二の対物レンズ側に配置され、前記第一のヨーク及び前記第二のヨークの一方の先端側よりも、該第一のヨーク及び該第二のヨークの他方の先端側の方が、厚く設けられてもよい。
【００１７】
本発明に係る光ピックアップ装置は、ヨークの厚さを変えることによって、磁石がコイルに対して発生させる磁束の変化が起こり、駆動部が可動部を駆動する位置を変えることが可能である。その結果、駆動部が、複数の対物レンズの重さが異なる場合の可動部の共振の節の位置を駆動点として、可動部を駆動することが可能である。尚、第一のヨーク及び第二のヨークの一方の先端側よりも、第一のヨーク及び第二のヨークの他方の先端側の方が、厚く設けられる理由は、可動部に搭載されたレンズ質量の差により、同一共振モードにおいて構造共振の節が異なってくる。この異なった節の位置に合わせて駆動コイルに対する磁束の中心箇所をヨークの厚さを変化させることで、構造共振の節近傍に近づけるためである。従って、本発明に係る光ピックアップ装置は、複数の対物レンズの重さが異なっても、ヨークの厚さを変化させることによって、駆動部が共振の節の位置を駆動点として可動部を駆動することにより、容易に不要な振動を抑え、音飛び、エラーの発生、及びノイズを抑制することが可能である。
【発明の効果】
【００１８】
本発明によれば、光ピックアップ装置の加速性能を犠牲にせず、容易に不要な振動を抑えることが可能な光ピックアップ装置を提供することが可能である。
【図面の簡単な説明】
【００１９】
【図１】本発明の実施例１に係る光ピックアップ装置を備えた光学ドライブ装置を示す概略上面図である。
【図２】本発明の実施例１に係る光ピックアップ装置を示す概略斜視図である。
【図３】本発明の実施例１に係る光ピックアップ装置における駆動部の全体を示す斜視図である。
【図４Ａ】従来の光ピックアップ装置における駆動部の概略図である。
【図４Ｂ】本発明の実施例１に係る光ピックアップ装置における駆動部の概略図である。
【図４Ｃ】本発明の実施例１に係る光ピックアップ装置における駆動部のＡ−Ａ断面側面図である。
【図５】本発明の実施例１に係る光ピックアップ装置における可動部を示す構造図である。
【図６】図５に示す可動部をＢ方向から見た側面図である。
【図７】本発明の実施例１に係る光ピックアップ装置において、駆動部が、可動部の節を駆動した場合と、可動部の節から離れて駆動した場合の、ゲインと周波数の関係を示すグラフである。
【図８】本発明の実施例２に係る光ピックアップ装置における駆動部の概略図である。
【発明を実施するための形態】
【００２０】
ここで、本発明の実施例に係る光ピックアップ装置５の実施の形態について図面に基づいて説明する。以下に示す実施例は例示であり、本発明はこれらに限定されるものではな
い。
【実施例１】
【００２１】
図１は、本発明の実施例１に係る光ピックアップ装置５を備えた光学ドライブ装置１を示す概略上面図である。図２は、本発明の実施例１に係る光ピックアップ装置５を示す概略斜視図である。図３は、本発明の実施例１に係る光ピックアップ装置５における、駆動部６２の全体を示す斜視図である。図４Ａは、従来の光ピックアップ装置における駆動部６２の概略図である。図４Ｂは、本発明の実施例１に係る光ピックアップ装置５における、駆動部６２の概略図である。図４Ｃは、本発明の実施例１に係る光ピックアップ装置５における、図４Ｂに示す駆動部５のＡ−Ａ断面側面図である。図４Ａから図４Ｃに示す矢印は、磁束の流れを示す。尚、本発明の実施例１に係る光学ドライブ装置１は、車載機器の一部として設けられ、例えばカーオーディオである。
【００２２】
本発明の実施例１に係る光学ドライブ装置１の各構成について説明する。本発明の実施例１に係る光学ドライブ装置１は、図１に示すように、筐体２、ドライブベース３（斜線部）、振動緩和部４、及び光ピックアップ装置５を主な構成とする。以下、各構成について具体的に説明する。
【００２３】
先ず、筐体２について説明する。筐体２は、略正方形状の薄型であり、振動緩和部４を介してドライブベース３を支持収容している。また、筐体２は、パーソナルコンピュータ等の情報処理装置や各種映像音声機器に収容可能である。また、筐体２は、該筐体２の外部からの衝撃等から、該筐体２の内部に収容されている部品を保護することが可能であり、例えば金属でできている。
【００２４】
ドライブベース３について説明する。ドライブベース３は、筐体２内に設けられ、スピンドルモータ３１と光ピックアップ装置５が設置される。スピンドルモータ３１は、ドライブベース３の略中央部に設けられ、光記録媒体７の中心の孔（不図示）と嵌合し、スピンドルモータ３１が回転することにより、光記録媒体７を回転させることが可能である。光記録媒体７は、例えば直径１２０ｍｍのＣＤ、ＤＶＤ、又はＢＤ等の光ディスクである。
【００２５】
振動緩和部４は、筐体２の角部内側に４箇所設けられ、ドライブベース３及び光ピックアップ装置５に伝わる振動を緩和することが可能である。従って、振動緩和部４は、光ピックアップ装置５が光記録媒体７に発光するレーザ光や、光記録媒体７からの反射光が、ドライブベース３や光ピックアップ装置５に振動が伝わることによるずれを防止し、音飛び及びエラーの発生を抑制することが可能である。振動緩和部４は、衝撃を弱めたり、振動が伝わるのを止めたりするためのダンパ機能を有し、ベース支持は不図示のスプリング等で行う。
【００２６】
光ピックアップ装置５は、図１から図４Ｂに示すように、光学ヘッド部５１、送り軸５２、第一の発光部５３、第一の受光部５４、第一の対物レンズ５５、第二の発光部５６、第二の受光部５７、第二の対物レンズ５８、第一の緩衝部５９、第二の緩衝部６０、可動部６１、及び駆動部６２を主な構成とする。以下、光ピックアップ装置５について、図１から図４Ｂに基づき具体的に説明する。尚、本発明の実施例１に係る光ピックアップ装置５は、対物レンズを２つ備えることとするが、対物レンズの数は限定されない。また、本発明の実施例１に係る光ピックアップ装置５において、第一の対物レンズ５５と第二の対物レンズ５８は、各々重さが異なるが、重さが同一であってもよい。
【００２７】
光学ヘッド部５１について説明する。光学ヘッド部５１は、図１に示すように、光記録媒体７の径方向（トラック方向）に移動可能であり、光学系素子を搭載する。また、光学
ヘッド部５１は、光記録媒体７の媒体表面にレーザ光を発光し、その反射をデータとして読み取ることが可能である。光学ヘッド部５１には、第一の発光部５３、第一の受光部５４、第二の発光部５６、第二の受光部５７、可動部６１、及び駆動部６２が設けられる。
【００２８】
送り軸５２について説明する。送り軸５２は、図１に示すように、光記録媒体７の中心から筐体２及びドライブベース３の角部方向に配置される。送り軸５２は、光学ヘッド部５１を移動させる主軸５２１と副軸５２２とを有し、該主軸５２１と該副軸５２２は、各々平行に設けられる。また、主軸５２１は、副軸５２２よりも筐体２及びドライブベース３の角部方向に近い位置に配置され、副軸５２２よりも径が太い。主軸５２１は、送りネジ５２３を有し、該送りネジ５２３の光記録媒体７の中心方向の端部には、軸受け５２４が設けられている。光学ヘッド部５１の送りネジ５２３と対向する部位に、送りネジ５２３とかみ合う送り機構５２５が設けられ、軸用モータ部５２６が送りネジ５２３を回転することによって、光学ヘッド部５１が、光記録媒体７の中心から筐体２の角部方向の間を移動することが可能である。尚、軸用モータ部５２６は、一定の間隔で瞬間的に電流量を変動させるパルス状の入力電流によって駆動するステッピングモータ等である。また、送り軸５２は、光学ヘッド部３を移動することができればよく、主軸５２１と副軸５２２の両方を有さなくてもよい。
【００２９】
第二の発光部５６、第二の対物レンズ５８及び第二の受光部５７について説明する。第二の発光部５６は、図２に示すように、光学ヘッド部５１の主軸５２１側に設けられ、ＣＤやＤＶＤの光記録媒体７に対応する赤色系のレーザ光を折り曲げミラー（不図示）に向かって発光する。レーザ光は、第二の折り曲げミラー（不図示）によって反射偏向され、第二の折り曲げミラー（不図示）と可動部６１の間に設けられた第二のコリメートレンズ（不図示）を通過し、立上ミラー（不図示）によって光記録媒体７の記録面方向に反射偏向され、第二の対物レンズ５８に向かう。レーザ光は、第二のコリメートレンズ（不図示）を通過することによって、集光し平行になる。尚、第二の発光部５６が発光するレーザ波長は、光記録媒体７がＣＤの場合は７８０ｎｍであり、光記録媒体７がＤＶＤの場合は６５０ｎｍである。
【００３０】
第二の対物レンズ５８は、図２及び図３に示すように、光学ヘッド部５１の中央部に設けられた可動部６１に配置されており、光記録媒体７がＣＤの場合は７８０ｎｍ、光記録媒体７がＤＶＤの場合は６５０ｎｍのレーザに対応する対物レンズである。また、第二の対物レンズ５８は、第二の発光部５６が発光したレーザ光を光記録媒体７の記録面に集光し、光記録媒体７からの反射光を集光する。尚、本実施例１の第二の対物レンズ５８の材質は樹脂製である。
【００３１】
そして、第二の受光部５７は、図２に示すように、光学ヘッド部５１の主軸５２１側に設けられ、第二の対物レンズ５８が集光した反射光を受光する。第二の受光部５７からの出力は、図示しない信号検出回路に入力され、光記録媒体７の再生信号、フォーカシングエラー信号及びトラッキングエラー信号が生成される。これらフォーカシングエラー信号及びトラッキングエラー信号のサーボエラー信号から適切な駆動信号を生成し、可動部６１に入力され、信号再生が正しく行われるよう、第二の対物レンズ５８を位置決めするのに用いられる。
【００３２】
第一の発光部５３、第一の対物レンズ５５、及び第一の受光部５４について説明する。第一の発光部５３は、図２に示すように、光学ヘッド部５１の副軸５２２側に設けられ、光記録媒体７がＢＤである場合に対応する青色系のレーザ光を第一の折り曲げミラー（不図示）に向かって発光する。レーザ光は、第一の折り曲げミラー（不図示）によって反射偏向され、第一の折り曲げミラー（不図示）と可動部６１の間に設けられた第一のコリメートレンズ（不図示）を通過し、立上ミラー（不図示）によって光記録媒体７の記録面方
向に反射偏向され、第一の対物レンズ５５に向かう。レーザ光は、第一のコリメートレンズ（不図示）を通過することによって、略平行な光になる。また、第一の発光部５３が発光するレーザ波長は４０５ｎｍの短波長である。
【００３３】
第一の対物レンズ５５は、図２及び図３に示すように、光学ヘッド部５１の中央部に設けられた可動部６１に配置されており、ＢＤ対応の対物レンズである。また、第一の対物レンズ５５は、第一の発光部５３が発光したレーザ光を光記録媒体７の記録面に集光し、光記録媒体７からの反射光を集光する。尚、本発明の実施例１に係る第一の対物レンズ５５の材質はガラス製であるため、第一の対物レンズ５５は、樹脂製である第二の対物レンズ５８よりも重い。
【００３４】
第一の受光部５４は、図２に示すように、光学ヘッド部５１の副軸５２２側に設けられ、ＢＤに対応する受光部であり、第一の対物レンズ５５が集光した反射光を受光する。第一の受光部５４からの出力は、図示しない信号検出回路に入力され、光記録媒体７の再生信号、フォーカシングエラー信号及びトラッキングエラー信号が生成される。これらフォーカシングエラー信号及びトラッキングエラー信号から適切な駆動信号を生成し、可動部６１に入力され、信号再生が正しく行われるよう、第一の対物レンズ５５を位置決めするのに用いられる。
【００３５】
次に、第一の緩衝部５９と第二の緩衝部６０について説明する。第一の緩衝部５９及び第二の緩衝部６０は、図２及び図３に示すように、第一の対物レンズ５５と第二の対物レンズ５８の間の空間を挟むように、可動部６１に設けられる。尚、第一の緩衝部５９は、光記録媒体７の中心側に設けられ、第二の緩衝部６０は、光記録媒体７の縁側に設けられる。
【００３６】
可動部６１について説明する。可動部６１は、図２及び図３に示すように、光学ヘッド部５１に設けられ、第一の対物レンズ５５及び第二の対物レンズ５８が、光記録媒体の径方向に対して垂直方向である、光記録媒体７の縁方向に直列配列されるように、第一の対物レンズ５５及び第二の対物レンズ５８を中央部に保持する。そして、可動部６１は、図３に示すように、光記録媒体７の径方向（トラック方向）と、光記録媒体に対するフォーカス方向の二軸方向に可動する。
【００３７】
駆動部６２について説明する。駆動部６２は、光学ヘッド部５１に設けられ、可動部６１に振動が加えられたときの共振の節の位置を駆動点として、可動部６１を駆動する。また、駆動部６２は、図３及び図４Ｂに示すように、コイル６２３、磁石６２４、ヨーク、支持ワイヤ６２１、及びワイヤ固定部６２２を有する。コイル６２３は、可動部６１が、光記録媒体７の径方向（トラック方向）と、光記録媒体７に対するフォーカス方向の二軸方向に駆動させるための電磁コイルである。磁石６２４は、コイル６２３に対して磁束を発生させる。ヨークは、磁石６２４の吸着力又は吸引力を増幅する。支持ワイヤ６２１は、可動部６１が、光記録媒体７の径方向（トラック方向）と、光記録媒体７に対するフォーカス方向の二軸方向に位置変位可能に支持する。また、支持ワイヤ６２１は、コイル６２３、磁石６２４、及びヨークによって発生した電磁力を駆動力として可動部６１に伝える駆動力伝達部である。ワイヤ固定部６２２は、可動部６１が保持する第二の対物レンズ５８側に設けられ、可動部支持ワイヤ６２１を固定する。尚、ワイヤ固定部６２２は、可動部６１が保持する第一の対物レンズ５５側に設けられてもよい。また、駆動部６２は、支持ワイヤ６２１を介して、コイル６２３に通電されるトラック信号又はフォーカス信号により、可動部６１を、光記録媒体７のトラック方向と、フォーカス方向の二軸方向に駆動制御する。
【００３８】
更に、駆動部６２は、可動部６１に振動が加えられたときの共振の節の位置を駆動点と
して可動部６１を駆動する。図５は、本発明の実施例１に係る光ピックアップ装置５における可動部６１を示す構造図である。図６は、図５に示す可動部６１をＢ方向から見た側面図である。可動部６１の共振の節は、図６に示す斜線部であり、第一の対物レンズ５５及び第二の対物レンズ５８を挟むように設けられる。尚、可動部６１の構造が変わると、可動部６１の共振の節の位置も変わり、振動シミュレーションシステム等を用いて、可動部６１の節の位置を算出することが可能である。また、図７は、駆動部６２が、可動部６１の節を駆動した場合と、可動部６１の節から離れて駆動した場合の、ゲインと周波数の関係を示すグラフである。図７において、駆動部６２が、可動部６１の節を駆動した場合は、実線で表示され、可動部６１の節から離れて駆動した場合は、点線で表示される。また、図６に示すように、駆動部６２が可動部６１の節を駆動する場合は、節を通るＰ駆動点を駆動し、駆動部６２が可動部６１の節から離れて駆動する場合は、節から離れたＱ駆動点を駆動する。図７に示すように、駆動部６２が可動部６１の節を駆動する場合は、振動が抑えられるが、駆動部６２が可動部６１の節から離れた場所を駆動する場合は、振動が大きくなる。従って、本発明の実施例１に係る光ピックアップ装置５は、駆動部６２が可動部６１の節を駆動することにより、容易に不要な振動を抑え、音飛び、エラーの発生、及びノイズを抑制することが可能である。更に、本発明の実施例１に係る光ピックアップ装置５は、可動部６１の重心と、可動部６１を駆動させる駆動点とを一致させる、又は、可動部６１の共振の節と、可動部６１を駆動させる駆動点とを一致させるために、重りを用いて調整する必要がなく、光ピックアップ装置５の加速性能を犠牲にすることがない。
【００３９】
また、第一の対物レンズ５５と第二の対物レンズ５８の重さが同等であれば、第一の対物レンズ５５と第二の対物レンズ５８の直列方向の重心位置が片方に寄らないため、可動部６１の共振の節の位置も片寄らない。しかし、上述したように、第一の対物レンズ５５の材質がガラス製であり、第二の対物レンズ５８の材質が樹脂製であるため、第二の対物レンズ５８よりも第一の対物レンズ５５の方が重く、第一の対物レンズ５５と第二の対物レンズ５８の直列方向の重心位置が第一の対物レンズ５５側に片寄ってしまうため、可動部６１の節の位置も片寄ってしまう。その結果、第一の対物レンズ５５と第二の対物レンズ５８の重さが同等のときの可動部６１の共振の節と、第一の対物レンズ５５と第二の対物レンズ５８の重さが異なるときの可動部６１の共振の節が異なる。従って、駆動部６２が、第一の対物レンズ５５と第二の対物レンズ５８の重さが同等のときの可動部６１の共振の節を駆動点として駆動しても、第一の対物レンズ５５と第二の対物レンズ５８の重さが異なるときの可動部６１の共振の節を駆動することができない。そこで、本発明の実施例１に係る光ピックアップ装置５は、ヨークの配置を変えることにより、駆動部６２が、第一の対物レンズ５５と第二の対物レンズ５８の重さが異なるときの可動部６１の共振の節を駆動することが可能となる。
【００４０】
具体的に説明すると、ヨークは、図４Ｂに示すように、第一の対物レンズ５５と第二の対物レンズ５８を繋ぐ直線を挟んで設けられる第一のヨーク６２６及び第二のヨーク６２７と、磁石６２４をコイル６２３と挟むバックヨーク６２８とによって形成される。また、第一のヨーク６２６及び第二のヨーク６２７の一方の先端が前記第一の対物レンズ５５側に配置され、第一のヨーク６２６及び第二のヨーク６２７の他方の先端が第二の対物レンズ５８側に配置され、第一のヨーク６２６及び第二のヨーク６２７の一方の先端の第一の対物レンズ５５に近い側の縁と、第一の対物レンズ５５との距離が、第一のヨーク６２６及び第二のヨーク６２７の他方の先端の第二の対物レンズ５８に近い側の縁と、第二の対物レンズ５８との距離よりも長く設定される。また、第一の対物レンズ５５側から第二の対物レンズ５８に向かって、第一のヨーク６２６及び第二のヨーク６２７の間の距離が広がるように設けられる。つまり、第一のヨーク６２６及び第二のヨーク６２７は、図４Ａに示す従来の第一のヨーク６２６及び第二のヨーク６２７と比較して、ハの字型に設けられる。その結果、磁石６２４がコイル６２３に対して発生させる磁束の変化が起こり、
駆動部６２が可動部６１を駆動する位置を変えることが可能である。また、磁界は、図４Ｃに示すように、磁石６２４から第一のヨーク６２６及び第二のヨーク６２７に向かって発生し、バックヨーク６２８を磁路として磁石６２４に戻ってくる。尚、第一の対物レンズ５５側から第二の対物レンズ５８側に向かって、第一のヨーク６２６及び第二のヨーク６２７の間の距離が広がる理由は、可動部６１に搭載されたレンズ質量の差により、同一共振モードにおいて構造共振の節が異なってくる。この異なった節の位置に合わせてヨークの位置を移動し、コイル６２３に対する磁束の集中箇所（駆動点）を構造共振の節近傍に近づけるためである。従って、本発明の実施例１に係る光ピックアップ装置５は、第一の対物レンズ５５及び第二の対物レンズ５８の重さが異なっても、ヨークの位置を変えることにより、駆動部６２が、可動部６１に振動が加えられたときの共振の節の位置を駆動点として可動部６１を駆動することが可能である。以上により、本発明の実施例１に係る光ピックアップ装置５は、容易に不要な振動を抑え、音飛び、エラーの発生、及びノイズを抑制することが可能である。
【実施例２】
【００４１】
本発明の実施例２に係る光ピックアップ装置５について説明する。図８は、本発明の実施例２に係る光ピックアップ装置５における駆動部６２の概略図である。以下、実施例１と異なる点を中心に、本発明の実施例２に係る光ピックアップ装置５について説明する。
【００４２】
本発明の実施例２に係る光ピックアップ装置５は、実施例１における図１に示す光学ドライブ装置１に備えられる。本発明の実施例２に係る光ピックアップ装置５は、光学ヘッド部５１、送り軸５２、第一の発光部５３、第一の受光部５４、第一の対物レンズ５５、第二の発光部５６、第二の受光部５７、第二の対物レンズ５８、第一の緩衝部５９、第二の緩衝部６０、可動部６１、及び駆動部６２を主な構成とする。以下、本発明の実施例１に係る光ピックアップ装置５と異なる点を中心に説明をする。
【００４３】
ヨークは、第一の対物レンズ５８及び第二の対物レンズ５５を繋ぐ直線を挟んで設けられ、第一のヨーク６２６と、第二のヨーク６２７で形成される。また、第二の対物レンズ５８よりも第一の対物レンズ５５の方が重い場合、図８に示すように、第一のヨーク６２６及び第二のヨーク６２７の一方の先端が第一の対物レンズ５５側に配置され、第一のヨーク６２６及び第二のヨーク６２７の他方の先端が第二の対物レンズ５８側に配置され、第一のヨーク６２６及び第二のヨーク６２７の一方の先端側よりも、第一のヨーク６２６及び第二のヨーク６２７の他方の先端側の方が、厚く設けられる。その結果、磁石６２４がコイル６２３に対して発生させる磁束の変化が起こり、駆動部６２が可動部６１を駆動する位置を変えることが可能である。尚、第一のヨーク６２６及び第二のヨーク６２７の一方の先端側よりも、第一のヨーク６２６及び第二のヨーク６２７の他方の先端側の方が、厚く設けられる理由は、可動部６１に搭載されたレンズ質量の差により、同一共振モードにおいて構造共振の節が異なってくる。この異なった節の位置に合わせてコイル６２３に対する磁束の中心箇所を、ヨークの厚さを変化させることで、構造共振の節近傍に近づけるためである。従って、本発明の実施例２に係る光ピックアップ装置５は、第一の対物レンズ５５及び第二の対物レンズ５８の重さが異なっても、ヨークの厚さを変化させることにより、駆動部６２が、可動部６１に振動が加えられたときの共振の節の位置を駆動点として可動部６１を駆動することが可能である。以上により、本発明の実施例２に係る光ピックアップ装置５は、容易に不要な振動を抑え、音飛び、エラーの発生、及びノイズを抑制することが可能である。
【実施例３】
【００４４】
本発明の実施例３に係る光ピックアップ装置５について説明する。本発明の実施例１及び２に係る光ピックアップ装置５は、対物レンズを２つ備えているが、本発明の実施例３に係る光ピックアップ装置５は、対物レンズを１つ又は３つ以上備えてもよい（不図示）
。尚、可動部６１に振動が加えられたときの共振の節は、対物レンズの数や重さによって変わり、振動シミュレーションシステム等を用いて、可動部６１に振動が加えられたときの共振の節の位置を算出することが可能である。本発明の実施例３に係る光ピックアップ装置５は、対物レンズの数や重さ係わらず、駆動部６２が、可動部６１に振動が加えられたときの共振の節の位置を駆動点として可動部６１を駆動することにより、容易に不要な振動を抑え、音飛び、エラーの発生、及びノイズを抑制することが可能である。
【符号の説明】
【００４５】
１・・・光学ドライブ装置
２・・・筐体
３・・・ドライブベース
３１・・・スピンドルモータ
４・・・振動緩和部
５・・・光ピックアップ装置
５１・・・光学ヘッド部
５２・・・送り軸
５２１・・・主軸
５２２・・・副軸
５２３・・・送りネジ
５２４・・・軸受け
５２５・・・送り機構
５２６・・・軸用モータ部
５３・・・第一の発光部
５４・・・第一の受光部
５５・・・第一の対物レンズ
５６・・・第二の発光部
５７・・・第二の受光部
５８・・・第二の対物レンズ
５９・・・第一の緩衝部
６０・・・第二の緩衝部
６１・・・可動部
６２・・・駆動部
６２１・・・支持ワイヤ
６２２・・・ワイヤ固定部
６２３・・・コイル
６２４・・・磁石
６２５・・・ヨーク
６２６・・・第一のヨーク
６２７・・・第二のヨーク
６２８・・・バックヨーク
７・・・光記録媒体
【図１】
2011034655.tif 000003
【図２】
2011034655.tif 000004
【図３】
2011034655.tif 000005
【図４Ａ】
2011034655.tif 000006
【図４Ｂ】
2011034655.tif 000007
【図４Ｃ】
2011034655.tif 000008
【図５】
2011034655.tif 000009
【図６】
2011034655.tif 000010
【図７】
2011034655.tif 000011
【図８】
2011034655.tif 000012